(57)【特許請求の範囲】
【請求項１】
吸込口と排出口との間に流路が形成された筒状のケーシングと、該ケーシング内の前記流路上に設けられ、ＶＯＣ低減対象物からのＶＯＣの放散を促進するために前記ＶＯＣ低減対象物を加熱する加熱器と、前記ケーシング内における前記加熱器後流の前記流路上に設けられ、前記加熱器による加熱によって前記ＶＯＣ低減対象物から放散したＶＯＣを空気と共に吸引する送風機と、前記ケーシング内における前記送風機後流の前記流路上に設けられ、前記送風機によって吸引した空気中のＶＯＣ濃度を検出する濃度センサと、該濃度センサによって検出される空気中のＶＯＣ濃度が最大濃度となるように前記送風機の回転数を制御する制御機とを備え、前記ケーシングは、前記吸込口が前記ＶＯＣ低減対象物の表面に対して間隔を隔てて対向するように配置され、前記制御機は、前記送風機の回転数を変化させて、前記濃度センサによって検出される空気中のＶＯＣ濃度が最大濃度となる前記送風機の回転数を見つけ出すものであることを特徴とするＶＯＣ低減装置。
【請求項２】
前記ケーシング内における前記送風機後流の前記流路上に設けられ、前記ＶＯＣ低減対象物から放散したＶＯＣを吸着するＶＯＣ吸着剤を備えた請求項１に記載のＶＯＣ低減装置。
【請求項３】
前記ケーシングの吸込口に接続され、前記ＶＯＣ低減対象物を収容するチャンバーを備えた請求項１又は２に記載のＶＯＣ低減装置。
【発明の詳細な説明】
【技術分野】
【０００１】
本発明は、部品及び材料等から放散するＶＯＣを低減するＶＯＣ低減装置に関する。
【背景技術】
【０００２】
化学物質過敏症やシックハウス症候群等を防ぐ目的から、部品及び材料等から放散するＶＯＣ（揮発性有機化合物）の低減方法及び低減対策等が各産業において検討されている。しかし、規制対象となるＶＯＣが材料に含まれていなくても、当該材料が他の材料や生産工程から発生するＶＯＣを吸着することがあり、ＶＯＣの拡散低減を困難にしている。自動車部品に使用される吸音材等の材料には、衣類等の古着がリサイクルされており、防虫剤等に使用されているパラジクロロベンゼンが当該吸音材等から検出されることがある。一般的なＶＯＣは、部品及び材料等を加熱することにより部品及び材料等に吸着しているＶＯＣを拡散させて低減することが可能である（例えば、特許文献１参照）。
【先行技術文献】
【特許文献】
【０００３】
【特許文献１】特開２００７−３０１５０７号公報
【発明の概要】
【発明が解決しようとする課題】
【０００４】
しかしながら、部品及び材料等を加熱する作業には設備及び時間を必要とするため実現することが困難であった。そのため、近年、簡便で且つ効果的なＶＯＣ低減対策が検討されている。
【０００５】
そこで、本発明の目的は、ＶＯＣの低減対策を簡便で且つ効果的に実施することを可能とすることにある。
【課題を解決するための手段】
【０００６】
上記目的を達成するために、本発明は、吸込口と排出口との間に流路が形成された筒状のケーシングと、該ケーシング内の前記流路上に設けられ、ＶＯＣ低減対象物からのＶＯＣの放散を促進するために前記ＶＯＣ低減対象物を加熱する加熱器と、前記ケーシング内における前記加熱器後流の前記流路上に設けられ、前記加熱器による加熱によって前記ＶＯＣ低減対象物から放散したＶＯＣを空気と共に吸引する送風機と、前記ケーシング内の前記流路上に設けられ、前記送風機によって吸引した空気中のＶＯＣ濃度を検出する濃度センサと、該濃度センサによって検出される空気中のＶＯＣ濃度が最大濃度となるように前記送風機の回転数を制御する制御機とを備えたことを特徴とするＶＯＣ低減装置である。
【０００７】
前記ＶＯＣ低減装置は、前記ケーシング内における前記送風機後流の前記流路上に設けられ、前記ＶＯＣ低減対象物から放散したＶＯＣを吸着するＶＯＣ吸着剤を備えても良い。
【０００８】
前記ＶＯＣ低減装置は、前記ケーシングの吸込口に接続され、前記ＶＯＣ低減対象物を収容するチャンバーを備えても良い。
【発明の効果】
【０００９】
本発明によれば、ＶＯＣの低減対策を簡便で且つ効果的に実施することを可能とすることができるという優れた効果を奏する。
【図面の簡単な説明】
【００１０】
【図１】本発明の一実施形態に係るＶＯＣ低減装置の概略図である。
【図２】本発明の他の実施形態に係るＶＯＣ低減装置の概略図である。
【発明を実施するための形態】
【００１１】
以下、本発明の好適な実施形態を添付図面に基づいて詳述する。
【００１２】
本実施形態に係るＶＯＣ低減装置は、部品及び材料等（以下、ＶＯＣ低減対象物ともいう）から放散するＶＯＣを低減するための装置であり、自動車部品、材料の他にも、家電製品、家具、建材等にも使用可能なものである。
【００１３】
図１に示すように、本実施形態に係るＶＯＣ低減装置１０は、吸込口１１ａと排出口１１ｂとの間に流路１１ｃが形成された筒状のケーシング１１と、ケーシング１１内の流路１１ｃ上に設けられ、ＶＯＣが吸着したＶＯＣ低減対象物ＡからのＶＯＣの放散（脱離）を加速（促進）するためにＶＯＣ低減対象物Ａを加熱するヒーター（加熱器）１２と、ケーシング１１内におけるヒーター１２後流の流路１１ｃ上に設けられ、ヒーター１２による加熱によってＶＯＣ低減対象物Ａから放散したＶＯＣを空気と共に吸引するファン（送風機）１３と、ケーシング１１内の流路１１ｃ上に設けられ、ファン１３によって吸引した空気中のＶＯＣ濃度を検出する濃度センサ１４と、濃度センサ１４によって検出される空気中のＶＯＣ濃度に応じてファン１３を制御する制御機としてのＥＣＵ（電子制御ユニット）１５とを備える。
【００１４】
ケーシング１１は、吸込口１１ａがＶＯＣ低減対象物Ａの表面に対して間隔を隔てて対向するように配置される。
【００１５】
本実施形態のヒーター１２は、赤外線ヒーター（加熱用赤外線ランプ）からなる。ヒーター１２は、ＶＯＣ低減対象物Ａの表面を所定温度（本実施形態では、８０℃）に加熱するように設定されている。
【００１６】
ファン１３は、空気を吸込口１１ａからケーシング１１（流路１１ｃ）内に吸い込み、ケーシング１１（流路１１ｃ）内の空気を排出口１１ｂから排出する。ファン１３は、ＥＣＵ１５に電気的に接続されており、ＥＣＵ１５によって回転数（或いは回転速度）が制御される。
【００１７】
本実施形態の濃度センサ１４は、半導体センサからなる。又、本実施形態の濃度センサ１４は、ケーシング１１内におけるファン１３後流の流路１１ｃ上に設けられている。濃度センサ１４は、ＥＣＵ１５に電気的に接続されており、ＥＣＵ１５に対して検出信号を出力する。
【００１８】
本実施形態のＥＣＵ１５は、ケーシング１１に設けられている。ＥＣＵ１５は、濃度センサ１４によって検出される空気中のＶＯＣ濃度（放散濃度）をモニター（監視）し、濃度センサ１４によって検出される空気中のＶＯＣ濃度が最大濃度となるように、ファン１３によって吸引する空気の速度（即ち、ファン１３の回転数）を制御する。
【００１９】
又、本実施形態に係るＶＯＣ低減装置１０は、ケーシング１１内におけるファン１３後流の流路１１ｃ上に設けられ、ＶＯＣ低減対象物Ａから放散したＶＯＣを吸着するＶＯＣ吸着剤１６を備える。
【００２０】
ＶＯＣ吸着剤１６は、例えば、フィルター（例えば、アルミ製のハニカム材）と、フィルターに担持され吸着作用を有する物質（例えば、活性炭）とから構成される。
【００２１】
次に、本実施形態に係るＶＯＣ低減装置１０の作動を説明する。
【００２２】
ＶＯＣ低減対象物（部品及び材料等）Ａの表面に吸着したＶＯＣは、放散形態が蒸散支配型となる。蒸散支配型は表面流速と速度（ＶＯＣの放散速度）とが比例している。つまり、ＶＯＣ低減対象物Ａの表面に対流を確保しながら、ＶＯＣ低減対象物Ａの表面を加熱することにより、ＶＯＣ低減対象物ＡからのＶＯＣの放散を加速することが可能となる。
【００２３】
本実施形態に係るＶＯＣ低減装置１０では、ＶＯＣが吸着したＶＯＣ低減対象物ＡからのＶＯＣの放散を加速するためにＶＯＣ低減対象物Ａを加熱するためのヒーター１２が、ケーシング１１内の流路１１ｃ上に設けられている。又、ＶＯＣの放散速度を最適にするために空気の速度を制御するためのファン１３が、ケーシング１１内におけるヒーター１２後流の流路１１ｃ上に設けられている。このファン１３の回転駆動によりＶＯＣ低減対象物Ａの表面に対流を作り出し、ヒーター１２による加熱によってＶＯＣ低減対象物Ａから放散したＶＯＣは、ファン１３後流のＶＯＣ吸着剤１６に捕集される。
【００２４】
ＶＯＣ吸着剤１６はＶＯＣ吸着量が飽和したら適宜交換する。本実施形態に係るＶＯＣ低減装置１０では、ＥＣＵ１５は、ＶＯＣ吸着剤１６の使用時間を測定し、測定したＶＯＣ吸着剤１６の使用時間が所定時間を超えたときに、ＶＯＣ吸着剤１６のＶＯＣ吸着量が飽和したと判断するようになっている。
【００２５】
又、本実施形態に係るＶＯＣ低減装置１０では、ＶＯＣ低減対象物ＡからのＶＯＣの放散が最適か不適かを判断するための濃度センサ１４が、ケーシング１１内の流路１１ｃ上に設けられており、ＥＣＵ１５は濃度センサ１４によりファン１３によって吸引した空気中のＶＯＣ濃度をモニター（監視）する。ＥＣＵ１５は、濃度センサ１４によって検出される空気中のＶＯＣ濃度が最大濃度となるようにファン１３の回転数を制御する。具体的には、ＥＣＵ１５は、ファン１３の回転数を変化させて、濃度センサ１４によって検出される空気中のＶＯＣ濃度が最大濃度となるファン１３の回転数を見つけ出すようになっている。
【００２６】
ＶＯＣ低減対象物ＡからのＶＯＣの放散が終了したら、ＶＯＣ低減装置１０を新たにＶＯＣが吸着している箇所に移動させる。例えば、ＥＣＵ１５は、濃度センサ１４によって検出される空気中のＶＯＣ濃度が所定濃度（例えば、上記最大濃度の５０％）を下回ったときに、当該箇所におけるＶＯＣの放散が終了したと判断する。本実施形態ではＶＯＣ低減装置１０の移動は手動であるが、ＶＯＣ低減装置１０の移動はアクチュエータ等を利用して自動にしても良い。又、ＶＯＣ低減装置１０を固定とし、ＶＯＣ低減対象物Ａを移動させても良い。
【００２７】
本実施形態に係るＶＯＣ低減装置１０では、ＶＯＣが吸着したＶＯＣ低減対象物ＡからのＶＯＣの放散を加速するためにＶＯＣ低減対象物Ａを加熱するためのヒーター１２と、ＶＯＣの放散速度を最適にするために空気の速度を制御するためのファン１３とを、ケーシング１１内の流路１１ｃ上に設けることにより、ＶＯＣ低減対象物Ａを加熱するための特別な設備が不要となり、ＶＯＣの低減対策を簡便に実施することが可能となる。
【００２８】
又、本実施形態に係るＶＯＣ低減装置１０では、濃度センサ１４によりファン１３によって吸引した空気中のＶＯＣ濃度をモニターし、そのＶＯＣ濃度が最大濃度となるようにファン１３の回転数を制御することにより、ＶＯＣ低減対象物ＡからのＶＯＣの放散を最適とすることができ、ＶＯＣの低減対策を効果的に実施することが可能となる。
【００２９】
以上要するに、本実施形態に係るＶＯＣ低減装置１０により、目に見えないＶＯＣの低減対策を簡便で且つ効果的に実施することが可能となる。
【００３０】
以上、本発明の好適な実施形態について説明したが、本発明は上記の実施形態には限定されず他の様々な実施形態を採ることが可能である。
【００３１】
例えば、上記の実施形態は生産工程におけるＶＯＣ低減を想定しているが、部品単体の場合は、同様な仕様のＶＯＣ低減装置１０を装備したチャンバー２０等（図２参照）を利用することにより、部品の大きさにもよるが複数部品の同時処理も可能となる。チャンバー２０は、ケーシング１１の吸込口１１ａに接続される。なお、図２中、符号２１はチャンバー２０の吸入口部を示す。
【００３２】
又、ケーシング１１内におけるＶＯＣ吸着剤１６後流の流路１１ｃ上に別の濃度センサ１７（図１参照）を設け、ＥＣＵ１５は、濃度センサ１７によってＶＯＣ吸着剤１６を通過した空気中のＶＯＣ濃度をモニター（監視）し、そのＶＯＣ濃度（処理後濃度）が所定濃度を超えたときに、ＶＯＣ吸着剤１６のＶＯＣ吸着量が飽和したと判断するようにしても良い。濃度センサ１７は、例えば、半導体センサからなる。
【符号の説明】
【００３３】
１０  ＶＯＣ低減装置
１１  ケーシング
１２  ヒーター（加熱器）
１３  ファン（送風機）
１４  濃度センサ
１５  ＥＣＵ（制御機）
１６  ＶＯＣ吸着剤
２０  チャンバー
Ａ  ＶＯＣ低減対象物（部品及び材料等）
【図１】
0005862009.tif 000002
【図２】
0005862009.tif 000003